(57)【要約】      （修正有）【解決手段】送受信装置はソフトウェアで設定可能な無線送受信機アーキテクチャを備える。送受信装置は、DAコンバータからの出力をアンテナへ送るように通信可能に結合された少なくとも１つの構成変更可能な微小電気機械システム(MEMS)送信フィルタを有するアップコンバージョン経路と、アンテナで受信した信号をADコンバータへ送るように通信可能に結合された少なくとも1つの構成変更可能なMEMS受信フィルタを有するダウンコンバージョン経路とを備える。【効果】構成変更可能なMEMS送信フィルタは、アンテナから送信された信号からのアップコンバージョン経路上での干渉を防止する。構成変更可能なMEMS受信フィルタは、アンテナで受信した信号からのダウンコンバージョン経路上での干渉を防止する。複数のアップコンバージョン経路及びダウンコンバージョン経路は、同時かつ異なるチャネル周波数で作動できる。【選択図】図２
2008271541.tif 000002
【特許請求の範囲】
【請求項１】
ソフトウェアで設定可能な無線送受信機アーキテクチャを有する送受信装置（１０）であって、前記送受信装置は、
ＤＡコンバータ（３４０）からの出力をアンテナ（１１０）へ送るように通信可能に結合された少なくとも１つの構成変更可能な微小電気機械システム（ＭＥＭＳ）送信フィルタ（３２０）を有するアップコンバージョン経路（３００）と、
前記アンテナで受信した信号をＡＤコンバータ（２４０）へ送るように通信可能に結合された少なくとも１つの構成変更可能なＭＥＭＳ受信フィルタ（２２０）を有するダウンコンバージョン経路（２００）と、
を備え、
前記少なくとも１つの構成変更可能なＭＥＭＳ送信フィルタは、前記アンテナから送信された信号からのアップコンバージョン経路上での干渉を防止し、
前記少なくとも１つの構成変更可能なＭＥＭＳ受信フィルタは、前記アンテナで受信した信号からのダウンコンバージョン経路上での干渉を防止することを特徴とする送受信装置。
【請求項２】
前記少なくとも１つの構成変更可能なＭＥＭＳ送信フィルタ（３２０）は、送信周波数を調整可能な少なくとも１つのＭＥＭＳフィルタ（２２８）のスイッチバンクを備えることを特徴とする請求項１に記載の送受信装置（１０）。
【請求項３】
前記少なくとも１つの構成変更可能なＭＥＭＳ受信フィルタ（２２０）は、受信周波数を調整可能な少なくとも１つのＭＥＭＳフィルタ（２２８）のスイッチバンクを備え、前記受信周波数は前記送信周波数と異なることを特徴とする請求項１又は２に記載の送受信装置（１０）。
【請求項４】
前記アップコンバージョン経路は第１のアップコンバージョン経路（３０４）であり、前記ダウンコンバージョン経路は第１のダウンコンバージョン経路（２０４）であり、前記アンテナは第１のアンテナ（１１０）であり、前記送受信装置は、
前記ＤＡコンバータからの出力を第２のアンテナ（１９０）へ送るように通信可能に結合された第２のアップコンバージョン経路（５０４）と、
前記第２のアンテナで受信した信号を前記第１のダウンコンバージョン経路の前記ＡＤコンバータ（２４０）に送るように通信可能に結合された第２のダウンコンバージョン経路（６０４）と、
を更に備え、
前記少なくとも１つの構成変更可能なＭＥＭＳ送信フィルタ（３２０）は、前記第２のアンテナで受信した信号からの前記第１のアップコンバージョン経路上での干渉を防止し、
前記少なくとも１つの構成変更可能なＭＥＭＳ受信フィルタ（２２０）は、前記第２のアンテナから送信された信号からの前記第１のダウンコンバージョン経路上での干渉を防止し、
前記第１のダウンコンバージョン経路及び第２のダウンコンバージョン経路はＡＤコンバータ（２４０）を共有し、
前記第１のアップコンバージョン経路及び第２のアップコンバージョン経路はＤＡコンバータ（３４０）を共有することを特徴とする請求項１に記載の送受信装置（１６）。
【発明の詳細な説明】
【技術分野】
【０００１】
（関連出願の説明）
本発明は、２００７年４月２日出願の米国特許仮出願番号６０／９０９，６７９の優先権を享受するものであり、その開示内容は引用により本明細書に組み込まれている。
本発明は、２００６年１２月５日出願の米国特許出願番号１１／５６６，９２１（代理人整理番号Ｈ００１２０５１．７２１４４（５６０２））「ＭＥＭＳベースのマルチバンド受信機アーキテクチャ」（以下では’９２１出願と呼ぶ）に関連する。
また、本発明は、２００６年６月２２日出願の米国特許仮出願番号６０／８１５，７９６（代理人整理番号Ｈ００１２４６８−５４３３）「単一アンテナにより複数の無線信号を送受信するための方法及びその装置」（以下では’７９６出願と呼ぶ）に関連する。
また、本発明は、２００４年９月１０日出願の米国特許出願番号１０／９３８，４８２「ＭＥＭＳ事前選択フィルタを備えるラジオ」（以下では’４８２出願と呼ぶ）に関連する。
また、本発明は、２００７年６月１９日出願の米国特許出願番号１１／７６５，２０７「単一アンテナ上で複数の無線信号を送受信するための方法及びその装置」（以下では’２０７出願と呼ぶ）に関連する。
’４８２出願、’９２１出願、’７９６出願、及び’２０７出願は、引用により本明細書に組み込まれている。
【背景技術】
【０００２】
民間航空機において、複数のモードで（異なる変調方式でもって）、１１８−１３６．９７５ＭＨ等の同じ指定航空周波数帯域において独立して同時に作動する、最大３つのまでの超短波（ＶＨＦ）通信ラジオが存在する。３つのＶＨＦラジオに給電するアンテナの間の空間分離が制限される場合が多い。近接して配置されたアンテナは相互に隔離されない。このアンテナ間の隔離不足は、送受信機の送信側及び受信側において、クロスチャネル信号からの干渉を防止するための厳しい要件をもたらす。
【０００３】
スプリアス発射が存在してノイズが送受信機の送信機側から送信される場合、受信線形性及び選択性は、受信機の感度低下を防止するために及び大きなダイナミックレンジを維持するためにうまく制御する必要がある。現在入手可能なＤＡ／ＡＤコンバータ（ＤＡＣ／ＡＤＣ）の速度及びダイナミックレンジは、ダイレクトデジタル・アップコンバージョン又はダウンコンバージョンには十分でない。従って、送信機アーキテクチャは、複雑で物理的に大きく高価であり、電力を消費する技術に制限される。一般に、アナログダイレクト・アップコンバージョン又はヘテロダイン・アップコンバージョン／ダウンコンバージョン技術はフィルタを含むが、これはソフトウェアで設定可能な又は経験的知識に基づくラジオシステムに適していない。
【発明の開示】
【０００４】
１つの態様において、本出願は、ソフトウェアで設定可能な無線送受信機アーキテクチャを備える送受信装置に関する。送受信装置は、ＤＡコンバータからの出力をアンテナへ送るように通信可能に結合された少なくとも１つの構成変更可能な微小電気機械システム（ＭＥＭＳ）送信フィルタを有するアップコンバージョン経路と、アンテナで受信した信号をＡＤコンバータへ送るように通信可能に結合された少なくとも１つの構成変更可能なＭＥＭＳ受信フィルタを有するダウンコンバージョン経路とを備える。少なくとも１つの構成変更可能なＭＥＭＳ送信フィルタは、アンテナから送信された信号からのアップコンバージョン経路上での干渉を防止する。少なくとも１つの構成変更可能なＭＥＭＳ受信フィルタは、アンテナで受信した信号からのダウンコンバージョン経路上での干渉を防止する。
【発明を実施するための最良の形態】
【０００５】
本明細書で説明する送受信装置の実施形態は、送受信装置の複雑性を低減しながら、送信ノイズ及び送受信装置が送信していない周波数での干渉、及び／又は、受信ノイズ及び送受信装置が受信していない周波数での干渉を除去するものである。
【０００６】
本明細書で説明する送受信装置の実施形態は、従来の送受信機に比べて、アップコンバージョン経路上及びダウンコンバージョン経路上の構成部品が少ない。図１は、非ＭＥＭＳベースのフィルタを含む従来の送受信機のブロック図である。
【０００７】
一般に、送受信装置の送信チェーン又はアップコンバージョン経路の帯域フィルタは、故意に送信されていない周波数での送信機の一般的な放射及びノイズを低減する。送受信装置の送信チェーン又はアップコンバージョン経路のノッチフィルタは、隣接する別の送受信機、受信機が受信できる特定周波数の送信ノイズを低減する。
【０００８】
送受信装置の受信経路又はダウンコンバージョン経路の帯域フィルタは、受信機が作動していない周波数での一般的な干渉及びノイズを低減する。送受信装置の受信経路又はダウンコンバージョン経路ノッチフィルタは、隣接する別の送受信機が送信している特定周波数での非常に強力な干渉を除去する。隣接する送受信機は、本明細書では、同じアンテナに接続された複数の送受信機の一部の送受信機として、及び別の隣接するアンテナに接続された送受信機として定義される。
【０００９】
図２は、本発明による１つの実施形態の送受信装置１０のブロック図である。送受信装置１０は、ソフトウェアで設定可能な無線送受信機アーキテクチャを含む。送受信装置１０は、サーキュレータ１２０、デジタルインタフェース１００からアンテナ１１０へサーキュレータ１２０を経由して信号を供給するアップコンバージョン経路３００、及びアンテナ１１０で受信した信号をデジタルインタフェース１００へサーキュレータ１２０を経由して送るダウンコンバージョン経路２００を備える。アンテナ１１０で受信したアナログ信号はダウンコンバージョン経路２００を伝送される際に変換され、デジタルインタフェース１００においてデジタル信号として受信される。同様に、デジタルインタフェース１００から送られるデジタル信号はアップコンバージョン経路３００を伝送される際に変換され、アナログ信号としてアンテナ１１０に送られる。また、ダウンコンバージョン経路２００は、本明細書では受信チェーン２００と呼ぶ場合もある。また、アップコンバージョン経路３００は、本明細書では送信チェーン３００と呼ぶ場合もある。
【００１０】
本実施形態の１つの実施例として送受信装置１０はアンテナ１１０を含む。本実施形態の別の実施例として送受信装置１０はデジタルインタフェース１００を含む。本実施形態の別の実施例としてサーキュレータ１２０は送受信機スイッチ１２０である。
【００１１】
少なくとも１つの構成変更可能なＭＥＭＳ送信フィルタは、アップコンバージョン経路３００において全体として３２０で示されており、アンテナ１１０から送信される信号からのアップコンバージョン経路３００上での干渉を防止する。同様に、少なくとも１つの構成変更可能なＭＥＭＳ受信フィルタ３０は、ダウンコンバージョン経路２００において全体として２２０で示されており、アンテナ１１０で受信した信号からのダウンコンバージョン経路２００上での干渉を防止する。
【００１２】
ダウンコンバージョン経路２００は、構成変更可能なＭＥＭＳ受信フィルタ２２０、ＡＤコンバータ２４０、及びデジタル・ダウンコンバータ２５０を含む。構成変更可能なＭＥＭＳ受信フィルタ２２０は、アンテナ１１０で受信した信号をＡＤコンバータ（ＡＤＣ）２４０へ送るように通信可能に結合されている。ＡＤコンバータ（ＡＤＣ）２４０は、通信可能に結合されたデジタル・ダウンコンバータ２５０へ信号を出力する。デジタル・ダウンコンバータ２５０の出力側は、信号を出力するためにデジタルインタフェース１００に通信可能に結合される。図２に示すように、サーキュレータ１２０からの信号を受信して構成変更可能なＭＥＭＳ受信フィルタ２２０へ信号を出力する電力減衰器２１０が設けられている。
【００１３】
アップコンバージョン経路３００は、デジタル・アップコンバータ３５０、ＤＡコンバータ３４０、及び構成変更可能なＭＥＭＳ送信フィルタ３２０を含む。デジタル・アップコンバータ３５０は、デジタルインタフェース１００からの信号を受信してＤＡコンバータ３４０へ信号を出力するように通信可能に結合されている。ＤＡコンバータ３４０は、構成変更可能なＭＥＭＳ送信フィルタ３２０へ信号を出力するように通信可能に結合されている。構成変更可能なＭＥＭＳ送信フィルタ３２０は、増幅器３３０及びアップコンバージョン経路３００のフィードバックループ構成部品を経由して、サーキュレータ１２０へ信号を出力する。サーキュレータ１２０は、アップコンバージョン経路３００からの信号をアンテナ１１０へ出力する。
【００１４】
アップコンバージョン経路３００のフィードバックループ構成部品は、電力減衰器３１０、電力増幅器３３５、ローパスフィルタ３６０、及び結合器３７０を含み、これらは増幅器３３０の出力とサーキュレータ１２０との間に配置されている。増幅器３３０は、構成変更可能なＭＥＭＳ送信フィルタ３２０からのフィルタ処理された信号を受信すると共に出力信号を電力減衰器３１０に送る。電力減衰器３１０は電力増幅器３３５に信号を出力する。電力増幅器３３５からの出力はローパスフィルタ３６０に送られ、フィルタ処理された信号が結合器３７０に送られる。結合器３７０は電力減衰器３１０に通信可能に結合されて信号をフィードバックするようになっている。また、結合器３７０は、サーキュレータ１２０に通信可能に結合されて信号を出力するようになっている。
【００１５】
デジタルインタフェース１００はデジタル信号プロセッサ（ＤＳＰ）１３０を含む。デジタル信号プロセッサはソフトウェアで設定可能なので、送受信装置１０を多数の変調方式及びチャネル方式の中の１つで作動するようにプログラムできる。デジタル信号プロセッサはハードウェアの変更を伴うことなく再プログラムできる。構成変更可能なＭＥＭＳ送信フィルタ３２０及び構成変更可能なＭＥＭＳ受信フィルタ２２０の構成変更可能な高ＱのＭＥＭＳ構成部品は、不要周波数の適切な阻止を可能にしながら、帯域幅及び／又はチャネル選択を制限することなく、この汎用性を可能にする。本実施形態の１つの実施例において、デジタルインタフェース１００はフィールド・プログラマブル・ゲート・アレイを含む。
【００１６】
送受信装置１０は従来の送受信機と異なっており、送受信装置１０は従来型のベースバンド部又は合成器を備えていない。つまり、送受信装置１０は、従来の送受信機に比べて複雑性、サイズ、コスト、及び電力消費が低減されたものとすることができる。本実施形態の１つの実施例において、構成変更可能なＭＥＭＳ送信フィルタ３２０は、送信周波数が調整可能なＭＥＭＳフィルタのスイッチバンクを含む。本実施形態の別の実施例において、構成変更可能なＭＥＭＳ送信フィルタ３２０は、受信周波数が調整可能な調整可能ＭＥＭＳノッチフィルタを含む。本実施形態の別の実施例において、構成変更可能なＭＥＭＳ送信フィルタ３２０は、調整可能ノッチフィルタ（例えば非ＭＥＭＳノッチフィルタ）、ＭＥＭＳフィルタのスイッチバンク、及び調整可能ＭＥＭＳノッチフィルタを組み合わせたものを含む。
【００１７】
送信周波数は受信周波数とは異なっている。本実施形態の１つの実施例において、少なくとも１つの構成変更可能なＭＥＭＳ受信フィルタ２２０は、受信周波数が調整可能なＭＥＭＳフィルタのスイッチバンクを備える。本実施形態の別の実施例において、少なくとも１つの構成変更可能なＭＥＭＳ受信フィルタ２２０は送信周波数が調整可能な調整可能ＭＥＭＳノッチフィルタを備える。本実施形態の別の実施例において、構成変更可能なＭＥＭＳ受信フィルタ２２０は、調整可能ノッチフィルタ（例えば非ＭＥＭＳノッチフィルタ）、ＭＥＭＳフィルタのスイッチバンク、及び調整可能ＭＥＭＳノッチフィルタを組み合わせたものを含む。
【００１８】
図３Ａ及び３Ｂは、本発明によるＭＥＭＳフィルタ２２８のスイッチバンク及び調整可能なＭＥＭＳフィルタ２２９をそれぞれ示すブロック図である。また、調整可能なＭＥＭＳフィルタ２２９は電圧調整可能なＭＥＭＳフィルタ２２９と呼ぶ場合もある。図３Ａに示すように、複数のＭＥＭＳ帯域フィルタ（ＢＰＦ）２２３−（１−Ｎ）が、全体として２２６で示す１つの入力スイッチと、全体として２２７で示す１つの出力スイッチとの間にそれぞれ配置されている。ＭＥＭＳフィルタ２２８のスイッチバンクに入力されるスイッチ制御信号は、調整可能な帯域幅領域内の所望の周波数を送信する必要がある場合に、入力スイッチ２２６及び出力スイッチ２２７の選択ペアを開路及び／又は閉路するための信号を与える。図３Ａの本実施例の構成において、ＭＥＭＳ帯域フィルタ２２３−２及び２２３−（Ｎ−１）の入力及び出力の入力スイッチ２２６及び出力スイッチ２２７が閉じているので、帯域フィルタ２２３−２及び２２３−（Ｎ−ｌ）が送信する周波数帯域内の信号がＭＥＭＳフィルタ２２８のスイッチバンクから送信される。
【００１９】
図３Ｂに示すように、ＭＥＭＳフィルタ２２９への調整電圧入力は、調整可能な帯域幅領域の所望のセグメントが通過するように調節される。図３Ｂに示す例示的な実施形態において、電圧はＶ２に設定され、中心周波数ｆ２の狭帯域の信号がＭＥＭＳフィルタ２２９を通って送信される。
【００２０】
図３Ａ及び３Ｂに示すように、フィルタは通過応答をもつ帯域フィルタである。本実施形態の１つの実施例において、ＭＥＭＳフィルタ２２８のスイッチバンク及び調整可能なＭＥＭＳフィルタ２２は帯域フィルタではなく、むしろノッチフィルタを含み、選択した周波数帯域を阻止して残りの周波数帯域を通過させるようになっている。
【００２１】
帯域フィルタが送信チェーン３００又は受信チェーン２００に設けられる場合、送信チャンネル周波数又は受信チャンネル周波数にそれぞれ調整されてこれを通過させる。ノッチフィルタ（又は帯域阻止フィルタ）が送信チェーン３００に設けられる場合、送信信号が必要に応じて通過でき、受信チェーンに遭遇するノイズが受信チェーンに漏出するのを防止するために、受信周波数に調整される。ノッチフィルタが受信チェーン２００に存在する場合、送信チャンネル周波数の信号をノッチ（又は低減／除去）して受信チャンネル周波数の信号を通過させるために、送信周波数に調整される。
【００２２】
図４Ａ及び４Ｂは、本発明による構成変更可能なＭＥＭＳ送信フィルタ３２０又は構成変更可能なＭＥＭＳ受信フィルタ２２０（図２）に用いる、例示的な調整可能ＭＥＭＳフィルタ２２９（図３Ｂ）の選択可能帯域幅セグメント２２１−（１−Ｎ）（本明細書ではチャネル２２１−（１−Ｎ）と呼ぶ場合もある）の周波数応答性を示す。図４Ａにおいて、全体として２２２で示す周波数帯域は複数のチャネン２２１−１から２２１−Ｎを含むように示されている。例示的なチャネル２２１−１及び２２１−Ｎは太線で示されている。調整可能なＭＥＭＳフィルタ２２９は、２２１−１から２２１−Ｎの範囲の帯域幅セグメントのいずれかを選択するように調整できる。本実施形態の１つの実施例において、周波数帯域２２２は１１８ＭＨｚから１３７ＭＨｚに及んでいる。図４Ａに示すように、帯域幅セグメントは帯域調整可能なＭＥＭＳフィルタ２２９を通過する。
【００２３】
本実施形態の１つの実施例において、構成変更可能なＭＥＭＳ送信フィルタ３２０又は構成変更可能なＭＥＭＳ受信フィルタ２２０は、受信周波数又は送信周波数にそれぞれ設定された固定式ＭＥＭＳノッチフィルタを含む。図４Ｂにおいて、単一の選択された帯域幅セグメント２２１−ｉが帯域フィルタとして示され、単一の選択された帯域幅セグメント２２４−ｋがノッチフィルタとして示されている。ノッチフィルタ（単一の選択された帯域幅セグメント２２４−ｋで示される）用の選択可能な帯域幅セグメントの周波数応答性は、帯域フィルタ（単一の選択された帯域幅セグメント２２１−ｉで示す）用の選択可能な帯域幅セグメントの周波数応答性とは逆の特性である。
【００２４】
図５Ａ及び５Ｂは、本発明による構成変更可能なＭＥＭＳ送信フィルタ３２０又は構成変更可能なＭＥＭＳ受信フィルタ２２０に用いる、例示的なＭＥＭＳフィルタ２２８のカスケード式スイッチバンク（図３Ａ）によって、又は例示的なカスケード式調整可能なＭＥＭＳフィルタ２２９（図３Ｂ）によって選択される、選択可能な帯域幅セグメントを示す。カスケード式ＭＥＭＳフィルタは、調整可能なフィルタの複数の経路を選択するために使用できるので、１つ、２つ、又はそれ以上の帯域幅セグメントを同時に送信することができる。図５Ａにはオーバーラップしない２つの選択された帯域幅セグメント２２１−ｉ及び２２１−ｍが示されている。図５Ｂにおいて、オーバーラップする３つの選択された帯域幅セグメント２２１−ｉ、２２１−ｊ、及び２２１−ｋが選択され、ＭＥＭＳフィルタのカスケードにより送信が行われるので、全体としては２２１−Σでラベル付けされた破線で示される、調整可能な帯域幅領域の広帯域幅セグメントは、ＭＥＭＳフィルタ２２８のスイッチバンク又は調整可能なＭＥＭＳフィルタ２２９によって送信される。これにより、ソフトウェア定義又は制御による指示に従って送受信機を狭帯域幅と広帯域幅との間で調整できる。
【００２５】
無線周波数送受信機の調整可能なＭＥＭＳフィルタ２２９又はＭＥＭＳフィルタ２２８のスイッチバンクは、送信時及び受信時に広い周波数帯域２２２上の狭い帯域幅２２１を通過させる目的で、高品質（Ｑ）ファクタをもっている。送受信装置１０のＭＥＭＳフィルタ２２３（図３Ａ及び３Ｂ）により、最小限のアナログ構成部品セットでもってダイレクトデジタル・アップコンバージョン及びダウンコンバージョンを使用することが可能になる。
【００２６】
ＭＥＭＳフィルタ２２３は複数の超短波（ＶＨＦ）チャネル２２１−（１−Ｎ）を選択的に送受信するのに十分な周波数をもたらす。選択された１つのチャネル２２１−（１−Ｎ）は、デジタル領域内に統合することができ、アップコンバージョン経路の送信ＤＡコンバータによって同時に生成される。選択された他のチャネル２２１−（１−Ｎ）は、ダウンコンバージョン経路の受信ＡＤコンバータによって同時にサンプリングされる。本実施形態の１つの実施例において、ＭＥＭＳフィルタ２２３は、複数の短波（ＨＦ）チャネルを送受信するための十分な周波数選択性をもたらす。
【００２７】
図６−１２は、本発明によるそれぞれの送受信装置１１−１７の種々の実施形態のブロック図である。図６−１２のそれぞれの送受信装置１１−１７の各々はソフトウェアで設定可能な無線送受信機アーキテクチャを実装している。送受信装置１１−１７の各々は、少なくとも１つのアップコンバージョン経路及び少なくとも１つのダウンコンバージョン経路を備え、各々はアンテナをデジタルインタフェースに通信可能に結合する。
【００２８】
図６に示すように、送受信装置１１は、図２のダウンコンバージョン経路２００と同じダウンコンバージョン経路２００、及びアップコンバージョン経路３０１を含む。アップコンバージョン経路３０１は図２のアップコンバージョン経路３００と異なっており、ここでは図２の構成変更可能なＭＥＭＳ送信フィルタ３２０は第１の構成変更可能なＭＥＭＳ送信フィルタ３２０−１であり、増幅器３３０と電力減衰器３１０との間に配置された第２の構成変更可能なＭＥＭＳ送信フィルタ３２０−２が存在する。第２の構成変更可能なＭＥＭＳ送信フィルタ３２０−２は、ノッチ又は帯域阻止応答性を有する以外、図２を参照して説明した構成変更可能なＭＥＭＳ送信フィルタ３２０の実施形態と同じ構成及び機能である。送受信装置１１は送受信装置１０に対して別の利点を有しており、ダウンコンバータ２００が作動する周波数上の送信ノイズを追加的にフィルタリングする。
【００２９】
デジタルインタフェース１０１は、ダウンコンバージョン経路２００及びアップコンバージョン経路３０１に通信可能に結合される。デジタルインタフェース１０１はフィールド・プログラマブル・ゲート・アレイ（ＦＰＧＡ）１３１を含む。フィールド・プログラマブル・ゲート・アレイ１３１はソフトウェアで設定可能であり、送受信装置１１は多数の変調方式及びチャネル方式の中の１つで作動するようにプログラム可能である。フィールド・プログラマブル・ゲート・アレイはハードウェアの変更を伴うことなく再プログラム可能である。構成変更可能なＭＥＭＳ送信フィルタ３２０−１及び３２０−２、及び構成変更可能なＭＥＭＳ受信フィルタ２２０の構成変更可能な高ＱなＭＥＭＳは、不要周波数の適切な阻止を可能にしながら、帯域幅及び／又はチャネル選択を制限することなく、この汎用性を可能にする。本実施形態の１つの実施例において、デジタルインタフェース１０１はデジタル信号プロセッサを含む。
【００３０】
図７に示すように、送受信装置１２は、図２のアップコンバージョン経路３００と同じアップコンバージョン経路３００、及びダウンコンバージョン経路２０１を含む。ダウンコンバージョン経路２０１は図２のダウンコンバージョン経路２００とは異なっており、ここでは図２の構成変更可能なＭＥＭＳ受信フィルタ２２０は図７の第１の構成変更可能なＭＥＭＳ送信フィルタ２２０−１であり、電力減衰器２１０と第１の構成変更可能なＭＥＭＳ送信フィルタ２２０−１との間に配置された第２の構成変更可能なＭＥＭＳ受信フィルタ２２０−２が存在する。第２の構成変更可能なＭＥＭＳ受信フィルタ２２０−２は、図２を参照して説明した構成変更可能なＭＥＭＳ受信フィルタ２２０の実施形態と同じ構成及び機能である。送受信装置１２は、送受信装置１０に対して別の利点を有しており、送受信装置１２の受信チェーンにおける送信信号及び／又は強力なオフチャネル干渉を追加的にフィルタリングする。
【００３１】
図８に示すように、送受信装置１３は、並列経路を有する多重送信及び受信の送受信装置に拡張するように構成された、アップコンバージョン経路３０２及びダウンコンバージョン経路２０２を含む。アップコンバージョン経路３０２は、２つの構成変更可能なＭＥＭＳ送信フィルタ３２０−Ａ及び３２０−Ｂ、及び２つの非ＭＥＭＳ受信フィルタ３９０−Ａ及び３９０−Ｂを含む。構成変更可能なＭＥＭＳ送信フィルタ３２０−Ａ及び３２０−Ｂは互いに並列になっている。構成変更可能なＭＥＭＳ送信フィルタ３２０−Ａは第１の送信周波数に調整可能であり、構成変更可能なＭＥＭＳ送信フィルタ３２０−Ｂは第１の送信周波数とは異なる第２の送信周波数に調整可能である。本実施形態の１つの実施例において、第２の送信周波数は、第１の送信周波数とは離れている（つまり、すぐに隣接していない又はオーバーラップしていない）。本実施形態の別の実施例において、第２の送信周波数は第１の送信周波数に隣接又はオーバーラップしている。
【００３２】
非ＭＥＭＳ送信フィルタ３９０−Ａ及び３９０−Ｂは互いに並列になっている。非ＭＥＭＳ受信フィルタ３９０−Ａは第１の送信周波数（又は第１の送信周波数の一部）に設定され、非ＭＥＭＳ受信フィルタ３９０−Ｂは第２の送信周波数（第２の送信周波数の一部）に設定される。非ＭＥＭＳ送信フィルタ３９０−Ａは構成変更可能なＭＥＭＳ送信フィルタ３２０−Ａと直列の関係になっている。非ＭＥＭＳ送信フィルタ３９０−Ｂは構成変更可能なＭＥＭＳ受信フィルタ３２０−Ｂと直列の関係になっている。
【００３３】
また、アップコンバージョン経路３０２は、２つの増幅器３３０−Ａ及び３３０−Ｂ、２つの電力減衰器３１０−Ａ及び３１０−Ｂ、２つの電力増幅器３３５−Ａ及び３３５−Ｂ、２つの帯域フィルタ３６０−Ａ及び３６０−Ｂ、及び２つの結合器３７０−Ａ及び３７０−Ｂを含み、これらは非ＭＥＭＳ送信フィルタ３９０−Ａ及び３９０−Ｂの出力と加算器３８０との間にそれぞれ配置されている。
【００３４】
非ＭＥＭＳ送信フィルタ３９０−Ａは、構成変更可能なＭＥＭＳ送信フィルタ３２０−Ａからフィルタ処理された信号を受信して、増幅器３３０−Ａへ出力信号を送る。増幅器３３０−Ａは電力減衰器３１０−Ａへ出力信号を送る。電力減衰器３１０−Ａは電力増幅器３３５−Ａへ信号を出力する。電力増幅器３３５−Ａからの出力はローパスフィルタ３６０−Ａに送られ、フィルタ処理された信号は結合器３７０−Ａへ送られる。結合器３７０−Ａは電力減衰器３１０−Ａに通信可能に結合され、フィードバック信号を供給するようになっている。また、結合器３７０−Ａは加算器３８０に通信可能に結合され、信号を出力するようになっている。
【００３５】
非ＭＥＭＳ送信フィルタ３９０−Ｂは、構成変更可能なＭＥＭＳ送信フィルタ３２０−Ｂからフィルタ処理された信号を受信して、出力信号を増幅器３３０−Ｂに送る。増幅器３３０−Ｂは出力信号を電力減衰器３１０−Ｂへ送る。電力減衰器３１０−Ｂは電力増幅器３３５−Ｂへ信号を出力する。電力増幅器３３５−Ｂからの出力はローパスフィルタ３６０−Ｂへ送られ、フィルタ処理された信号は結合器３７０−Ｂへ送られる。結合器３７０−Ｂは電力減衰器３１０−Ｂに通信可能に結合され、フィードバック信号を供給するようになっている。また、結合器３７０−Ｂは加算器３８０に通信可能に結合され、信号を出力するようになっている。つまり、構成変更可能なＭＥＭＳ送信フィルタ３２０−Ａ、非ＭＥＭＳ送信フィルタ３９０−Ａ、電力減衰器３１０−Ａ、電力増幅器３３５−Ａ、ローパスフィルタ３６０−Ａ、及び結合器３７０−Ａを含むアップコンバージョン経路３０２の部分は、構成変更可能なＭＥＭＳ送信フィルタ３２０−Ｂ、非ＭＥＭＳ送信フィルタ３９０−Ｂ、電力減衰器３１０−Ｂ、電力増幅器３３５−Ｂ、ローパスフィルタ３６０−Ｂ、及び結合器３７０−Ｂを含むアップコンバージョン経路３０２の部分と並列になっている。
【００３６】
加算器３８０は結合器３７０−Ａからの出力信号と結合器３７０−Ｂからの出力信号とを加算する。加算された信号は加算器３８０からサーキュレータ１２１へ出力される。本実施形態の１つの実施例において、サーキュレータ１２１は送受信スイッチ１２１である。
【００３７】
本実施形態の別の実施例において、３つ又はそれ以上の構成変更可能なＭＥＭＳ送信フィルタが存在し、全ては互いに並列になっており、各々はアンテナ１１０で送受信される送信周波数の異なる１つに調整可能である。この場合、３つ又はそれ以上の構成変更可能なＭＥＭＳ送信フィルタの各々はダウンコンバージョン経路２０２の別々の並列部分に含まれる。本実施形態の例示的な実施例において、３つ又はそれ以上の送信周波数は、相互に隣接する及び／又は相互にオーバーラップする。本実施形態の別の実施例において、非ＭＥＭＳ送信フィルタ３９０−Ａ及び３９０−Ｂはアップコンバージョン経路３０２に含まれない。
【００３８】
図８に示すように、ダウンコンバージョン経路２０２は、２つの構成変更可能なＭＥＭＳ受信フィルタ２２０−Ａ及び２２０−Ｂ、及び２つの非ＭＥＭＳ受信フィルタ２９０−Ａ及び２９０−Ｂを含む。構成変更可能なＭＥＭＳ受信フィルタ２２０−Ａ及び２２０−Ｂは互いに並列になっている。構成変更可能なＭＥＭＳ受信フィルタ２２０−Ａは第１の受信周波数に調整可能であり、構成変更可能なＭＥＭＳ受信フィルタ２２０−Ｂは第１の受信周波数とは異なる第２の受信周波数に調整可能である。非ＭＥＭＳ受信フィルタ２９０−Ａ及び２９０−Ｂは互いに並列になっている。非ＭＥＭＳ受信フィルタ２９０−Ａは第１の受信周波数（又は第１の受信周波数の一部）に設定され、非ＭＥＭＳ受信フィルタ２９０−Ｂは第２の受信周波数（又は第２の受信周波数の一部）に設定される。非ＭＥＭＳ受信フィルタ２９０−Ａは構成変更可能なＭＥＭＳ受信フィルタ２２０−Ａと直列の関係になっている。非ＭＥＭＳ受信フィルタ２９０−Ｂは構成変更可能なＭＥＭＳ受信フィルタ２２０−Ｂと直列の関係になっている。
【００３９】
また、ダウンコンバージョン経路２０２は、２つの増幅器２３０−Ａ及び２３０−Ｂ、２つのＡＤコンバータ２４０−Ａ及び２４０−Ｂ、及び単一のデジタル・ダウンコンバータ２５１を含む。図８に示すように、電力減衰器２１０は、サーキュレータ１２１から信号を受信して、２つの構成変更可能なＭＥＭＳ受信フィルタ２２０−Ａ及び２２０−Ｂに信号を出力するように配置されている。
【００４０】
構成変更可能なＭＥＭＳ受信フィルタ２２０−Ａは、アンテナ１１０で受信した第１の受信周波数での信号を非ＭＥＭＳ受信フィルタ２９０−Ａへ送るように通信可能に結合される。非ＭＥＭＳ受信フィルタ２９０−Ａはフィルタ処理された信号を増幅器２３０−Ａへ送る。増幅器２３０−Ａからの増幅された信号出力はＡＤコンバータ（ＡＤＣ）２４０−Ａへ入力される。ＡＤコンバータ２４０−Ａは、通信可能に結合されたデジタル・ダウンコンバータ２５１へ信号を出力する。デジタル・ダウンコンバータ２５１の出力側は、デジタルインタフェース１００に通信可能に結合され、信号を出力するようになっている。
【００４１】
構成変更可能なＭＥＭＳ受信フィルタ２２０−Ｂは、アンテナ１１０で受信した第２の受信周波数での信号を非ＭＥＭＳ２０受信フィルタ２９０−Ｂへ送るように通信可能に結合される。非ＭＥＭＳ受信フィルタ２９０−Ｂはフィルタ処理された信号を増幅器２３０−Ｂへ送る。増幅器２３０−Ｂからの増幅された信号出力はＡＤコンバータ（ＡＤＣ）２４０−Ｂへ入力される。ＡＤコンバータ２４０−Ｂは、通信可能に結合されたデジタル・ダウンコンバータ２５１へ信号を出力する。デジタル・ダウンコンバータ２５１の出力側は、デジタルインタフェース１００に通信可能に結合され、信号を出力するようになっている。
【００４２】
従って、構成変更可能なＭＥＭＳ受信フィルタ２２０−Ａ、非ＭＥＭＳ受信フィルタ２９０−Ａ、増幅器３３０−Ａ、及びＡＤコンバータ２４０−Ａを含むダウンコンバージョン経路２０２の部分は、構成変更可能なＭＥＭＳ受信フィルタ２２０−Ｂ、非ＭＥＭＳ受信フィルタ２９０−Ｂ、増幅器３３０−Ｂ、及びＡＤコンバータ２４０−Ｂを含むダウンコンバージョン経路２０２の部分と並列である。構成変更可能なＭＥＭＳ受信フィルタ２２０−Ａ及び２２０−Ｂの各々は、受信周波数の異なる１つに調整可能である。受信周波数は、アンテナ１１０で送受信される送信周波数とは異なっている。
【００４３】
本実施形態の別の実施例において、３つ又はそれ以上の構成変更可能なＭＥＭＳ受信フィルタの全ては互いに並列になっており、各々はアンテナ１１０で送受信される受信周波数の別々の１つに調整可能である。この場合、３つ又はそれ以上の構成変更可能なＭＥＭＳ受信フィルタの各々は、ダウンコンバージョン経路２０２の別々の並列部分に組み込まれる。本実施形態の例示的な実施例において、３つ又はそれ以上の受信周波数は互いに隣接及び／又はオーバーラップしている。
【００４４】
図９に示すように、送受信装置１４は、アップコンバージョン経路３０３、及びマルチキャリア送信機及び広帯域受信機を用いてチャネル送受信を拡大するようになっているダウンコンバージョン経路２０３を含む。図９のアップコンバージョン経路３０３の動作は図２のアップコンバージョン経路３００と同じであるが、アップコンバージョン経路３０３には２つの構成変更可能なＭＥＭＳ送信フィルタ３２０−Ａ及び３２０−Ｂが存在する点で異なっている。構成変更可能なＭＥＭＳ送信フィルタ３２０−Ａ及び３２０−Ｂは互いに並列になっている。構成変更可能なＭＥＭＳ送信フィルタ３２０−Ａは第１の送信周波数に調整可能であり、構成変更可能なＭＥＭＳ送信フィルタ３２０−Ｂは第２の送信周波数に調整可能である。本実施形態の例示的な実施例において、第２の送信周波数は第１の送信周波数とは別である（つまり、隣接又はオーバーラップしていない）。本実施形態の別の実施例において、第２の送信周波数は第１の送信周波数に隣接又はオーバーラップしている。本実施形態の別の実施例において、３つ又はそれ以上の構成変更可能なＭＥＭＳ送信フィルタの全てはお互いに並列になっており、各々はアンテナ１１０で送受信される送信周波数の１つに調整可能なである。本実施形態の例示的な実施例において、３つ又はそれ以上の送信周波数は互いに隣接及び／又はオーバーラップしている。
【００４５】
図２のアップコンバージョン経路３００と同様に、図９のアップコンバージョン経路３０３は１つのデジタル・アップコンバータ３５０、１つのＤＡコンバータ３４０、１つの増幅器３３０、及びフィードバックループを含み、該フィードバックループは、電力減衰器３１０、電力増幅器３３５、ローパスフィルタ３６０、及び結合器３７０を含んでおり、これらは構成変更可能なＭＥＭＳ送信フィルタ３２０−Ａ及び３２０−Ｂの出力とサーキュレータ１２０との間に配置されている。
【００４６】
デジタル・アップコンバータ３５０は、デジタルインタフェース１００からの信号を受信してＤＡコンバータ３４０へ信号を出力するように通信可能に結合されている。ＤＡコンバータ３４０は、構成変更可能なＭＥＭＳ送信フィルタ３２０−Ａ及び３２０−Ｂへ信号を出力するように通信可能に結合されている。構成変更可能なＭＥＭＳ送信フィルタ３２０−Ａ及び３２０−Ｂは、増幅器３３０及びアップコンバージョン経路３０３のフィードバックループの構成部品を経由して２つの異なる送信周波数でサーキュレータ１２０へ信号を出力する。サーキュレータ１２０は、２つの異なる送信周波数で、構成変更可能なＭＥＭＳ送信フィルタ３２０−Ａ及び３２０−Ｂから受信した信号をアンテナ１１０へ出力する。
【００４７】
増幅器３３０は、フィルタ処理された信号を２つの異なる送信周波数で成変更可能なＭＥＭＳ送信フィルタ３２０−Ａ及び３２０−Ｂの両方から受信して、電力減衰器３１０へ出力信号を送る。電力減衰器３１０は、電力増幅器３３５へ２つの異なる送信周波数で信号を出力する。電力増幅器３３５からの出力はローパスフィルタ３６０へ送られて、フィルタ処理された信号が２つの異なる送信周波数で結合器３７０へ送られる。
【００４８】
ダウンコンバージョン経路２０３は、２つの構成変更可能なＭＥＭＳ受信フィルタ２２０−Ａ及び２２０−Ｂを含む。構成変更可能なＭＥＭＳ受信フィルタ２２０−Ａ及び２２０−Ｂは互いに並列になっている。構成変更可能なＭＥＭＳ受信フィルタ２２０−Ａは第１の受信周波数に調整可能であり、構成変更可能なＭＥＭＳ受信フィルタ２２０−Ｂは第１の受信周波数とは異なる第２の受信周波数に調整可能である。本実施形態の別の実施例において、３つ又はそれ以上の構成変更可能なＭＥＭＳ受信フィルタの全ては互いに並列になっており、各々はアンテナ１１０で送受信される受信周波数の別々の１つに調整可能である。
【００４９】
ダウンコンバージョン経路２０３は、ＡＤコンバータ２４０及びデジタル・ダウンコンバータ２５２を含む。構成変更可能なＭＥＭＳ受信フィルタ２２０−Ａ及び２２０−Ｂは、アンテナ１１０で受信した信号を増幅器２３０へ送るように通信可能に結合されている。２つの受信周波数に関する増幅信号は、増幅器２３０からＡＤコンバータ（ＡＤＣ）２４０に送られる。ＡＤコンバータ（ＡＤＣ）２４０は通信可能に結合されたデジタル・ダウンコンバータ２５２に信号を出力する。デジタル・ダウンコンバータ２５２の出力側はデジタルインタフェース１００へ通信可能に結合されており、第１の受信周波数及び第２の受信周波数に関する信号を出力するようになっている。図９に示すように、電力減衰器２１０は、サーキュレータ１２０から信号を受信して、第１の周波数の受信信号及び第２の周波数の受信信号を構成変更可能なＭＥＭＳフィルタ２２０−Ａ及び２２０−Ｂのそれぞれに出力するよう配置されている。
【００５０】
図１０に示すように、送受信装置１５は、第２の送受信システムと一体化したアップコンバージョン経路３０３及びダウンコンバージョン経路２０３を含む。この構成により２つのアップコンバージョン経路及び２つのダウンコンバージョン経路がこれらの経路部を共有できる。第２の送受信システムは、アップコンバージョン経路５０３及びダウンコンバージョン経路６０３を含み、これらはサーキュレータ４２０又は送受信スイッチ４２０の１つを経由して第２のアンテナ１９０に通信可能に結合されている。第２のアンテナ１９０は、アンテナ１１０（本明細書では第１のアンテナ１１０と呼ぶ）とは異なる周波数帯域で送受信を行う。本実施形態の１つの実施例において、第１のアンテナ１１０は超短波（ＶＨＦ）通信システムで信号を送受信するが、第２のアンテナ１９０は短波（ＨＦ）通信システムで信号を送受信する。
【００５１】
アップコンバージョン経路３０３及びダウンコンバージョン経路２０３は、前述の図９を参照して説明したように構成されている。アップコンバージョン経路５０３は、第１の増幅器５３０、帯域フィルタ５６０、及び第２の増幅器５３１を含む。本実施形態の１つの実施例において、アップコンバージョン経路５０３は更にＭＥＭＳフィルタを含む。第１の増幅器５３０は帯域フィルタ５６０に信号を出力し、該帯域フィルタは第２の増幅器５３１に信号を出力する。アップコンバージョン経路３０３のＤＡコンバータ３４０からの出力は、アップコンバージョン経路５０３の第１の増幅器５３０の入力に接続される。従って、デジタル・アップコンバータ３５０及びＤＡコンバータ３４０を含むアップコンバージョン経路３０３の部分６０６は、アップコンバージョン経路５０３と共有される。
【００５２】
ダウンコンバージョン経路６０３は、第１のローパスフィルタ４６０、電力減衰器４１０、第１の増幅器４３０、第２の帯域フィルタ４６１、及び第２の増幅器４３１を含む。本実施形態の１つの実施例において、ダウンコンバージョン経路６０３はＭＥＭＳフィルタを更に含む。サーキュレータ４２０又は送受信スイッチ４２０は、第２のアンテナ１９０からの信号を第１のローパスフィルタ４６０へ送る。第１のローパスフィルタ４６０からの出力は電力減衰器４１０へ送られる。電力減衰器４１０からの出力は第１の増幅器４３０へ送られる。第１の増幅器４３０からの出力は第２の帯域フィルタ４６１へ送られる。帯域フィルタ４６１からの出力は第２の増幅器４３１へ送られる。第２の増幅器４３１からの出力はダウンコンバージョン経路２０３のＡＤコンバータ２４０の入力側に送られる。従って、ＡＤコンバータ２４０及びデジタル・ダウンコンバータ２５２を含むダウンコンバージョン経路２０３の部分６０５は、ダウンコンバージョン経路６０３と共有される。
【００５３】
図１１に示すように、送受信装置１６は、第２の送受信システムと一体化したアップコンバージョン経路３０４及びダウンコンバージョン経路２０４を含む。この構成により２つのアップコンバージョン経路及び２つのダウンコンバージョン経路がこれらの経路部を共有できるが、共有部分は、図１０を参照して説明した受信装置１５の共有部分６０５及び６０６とは異なっている。送受信装置１６において、アップコンバージョン経路５０４と共有されるアップコンバージョン経路３０４の部分６０８は増幅器３３１を含んでおり、該増幅器３３１は、アップコンバージョン経路５０４の帯域フィルタ５６０に増幅信号を出力すると共にアップコンバージョン経路３０４の２つの構成変更可能なＭＥＭＳ送信フィルタ３２０−Ａ及び３２０−Ｂに増幅信号を出力する。図１０のアップコンバージョン経路３０３の増幅器３３０は、図１１では部分６０８の増幅器３３１に置き換えられている。図１０のアップコンバージョン経路５０３の増幅器５３０は、部分６０８の増幅器３３１に置き換えられている。
【００５４】
送受信装置１６において、ダウンコンバージョン経路６０４と共有されるダウンコンバージョン経路２０４の部分６０７は増幅器２３１を含み、該増幅器２３１は、ダウンコンバージョン経路６０４の帯域フィルタ４６１からの信号を増幅してＡＤコンバータ２４０へ送る。また、増幅器２３１は２つの構成変更可能なＭＥＭＳ受信フィルタ２２０−Ａ及び２２０−Ｂからの信号を増幅してＡＤコンバータ２４０へ送る。図１０のダウンコンバージョン経路２０３の増幅器２３０は、図１１では部分６０７の増幅器２３１に置き換えられている。同様に、図１０のダウンコンバージョン経路６０３の増幅器４３１は、部分６０７の増幅器２３１に置き換えられている。従って、送受信装置１６は、図１０の送受信装置１５に比べて構成部品が少ない（つまり増幅器が少ない）。
【００５５】
図１２に示すように、送受信システム１７は、全体的には２０及び２５で示され、同じデジタルインタフェース１０８に通信可能に結合される複数の送受信装置を含む。送受信装置２０及び２５は、送受信装置２０及び２５のそれぞれある構成変更可能なＭＥＭＳ受信フィルタ２２０及び８２０、及び構成変更可能なＭＥＭＳ送信フィルタ３２０及び７２０によって相互に絶縁されている。送受信装置２０及び２５の各々は異なる周波数帯域で動作する。
【００５６】
送受信装置２０は、アップコンバージョン経路３００、ダウンコンバージョン経路２００、及びサーキュレータ１２０を含む。本実施形態の１つの実施例において、送受信装置２０は、アップコンバージョン経路３００、ダウンコンバージョン経路２００、サーキュレータ１２０、及びアンテナ１１０を含む。
【００５７】
送受信装置２５は、アップコンバージョン経路７００、ダウンコンバージョン経路８００、及びサーキュレータ７２０又は送受信スイッチ７２０の１つを含む。本実施形態の１つの実施例において、送受信装置２５は、アップコンバージョン経路７００、ダウンコンバージョン経路８００、サーキュレータ７２０又は送受信スイッチ７２０、及びアンテナ７１０を含む。
【００５８】
各々のアンテナ１１０及び７１０は、固有の送信周波数で信号を送信すると共に固有の受信周波数で信号を受信する。送信周波数と受信周波数は異なっている。少なくとも１つの構成変更可能なＭＥＭＳ送信フィルタ（構成変更可能なＭＥＭＳ送信フィルタ３２０及び７２０等の）は、アンテナ１１０及び７１０のいずれかで送信された信号がアップコンバージョン経路３００及び７００上で干渉することを防止する。構成変更可能なＭＥＭＳ受信フィルタ２２０及び８２０は、アンテナ１１０及び７１０のいずれかで受信した信号がダウンコンバージョン経路２００及び８００上で干渉することを防止する。
【００５９】
アップコンバージョン経路３００及び７００は、図２を参照して説明した送受信装置１０のアップコンバージョン経路３００と同じ構成及び機能である。ダウンコンバージョン経路２００及び８００は、図２を参照して説明した送受信装置１０のダウンコンバージョン経路２００と同じ構成及び機能である。送受信装置２０及び２５は、図２に示すサーキュレータ１２０、アップコンバージョン経路３００、及びダウンコンバージョン経路２００を含みアンテナ１１０へ通信可能に結合された送受信装置１０と同様に機能する。
【００６０】
本実施形態の別の実施例において、アップコンバージョン経路３００及び７００、及びダウンコンバージョン経路２００及び８００は、それぞれ図６−１１を参照して説明した送受信装置１１−１６のアップコンバージョン経路及びダウンコンバージョン経路と同じ構成及び機能とすることができる。本実施形態の別の実施例において、送受信システム１７は、３つ又はそれ以上の送受信装置を含む。それぞれ図２、５、６、７、８、９、及び／又は１０を参照して説明した送受信装置１０、１１、１２、１３、１４、１５、及び／又は１６と同じ構成及び機能を含む。
【００６１】
特定の実施形態を示して説明されているが、当業者であれば、同じ目的を達成するための何らかの配置を特定に実施形態と置き換えることは容易であることを理解されたい。本発明  は、本発明の何らかの変更物、変形物をカバーすることが意図されている。従って、本発明は、請求の範囲及びその均等物によってのみ限定されることが明白に意図されている。
【図面の簡単な説明】
【００６２】
【図１】従来の送受信機のブロック図を示す。
【図２】本発明による１つの実施形態の送受信装置のブロック図を示す。
【図３Ａ】本発明によるＭＥＭＳフィルタのスイッチバンクを示すブロック図である。
【図３Ｂ】本発明による調整可能なＭＥＭＳフィルタを示すブロック図である。
【図４Ａ】本発明による例示的なＭＥＭＳスイッチバンク及び調整可能なＭＥＭＳフィルタの選択可能帯域幅セグメントの周波数応答性である。
【図４Ｂ】本発明による例示的なＭＥＭＳスイッチバンク及び調整可能なＭＥＭＳフィルタの選択可能帯域幅セグメントの周波数応答性である。
【図５Ａ】本発明による例示的なＭＥＭＳフィルタのスイッチバンクで選択された選択可能帯域幅セグメントを示す略図である。
【図５Ｂ】本発明による例示的なＭＥＭＳフィルタのスイッチバンクで選択された選択可能帯域幅セグメントを示す略図である。
【図６】本発明による送受信装置の他の実施形態を示すブロック図である。
【図７】本発明による送受信装置の他の実施形態を示すブロック図である。
【図８】本発明による送受信装置の他の実施形態を示すブロック図である。
【図９】本発明による送受信装置の他の実施形態を示すブロック図である。
【図１０】本発明による送受信装置の他の実施形態を示すブロック図である。
【図１１】本発明による送受信装置の他の実施形態を示すブロック図である。
【図１２】本発明による送受信装置の他の実施形態を示すブロック図である。
【図１】
2008271541.tif 000003
【図２】
2008271541.tif 000004
【図３Ａ】
2008271541.tif 000005
【図３Ｂ】
2008271541.tif 000006
【図４Ａ】
2008271541.tif 000007
【図４Ｂ】
2008271541.tif 000008
【図５Ａ】
2008271541.tif 000009
【図５Ｂ】
2008271541.tif 000010
【図６】
2008271541.tif 000011
【図７】
2008271541.tif 000012
【図８】
2008271541.tif 000013
【図９】
2008271541.tif 000014
【図１０】
2008271541.tif 000015
【図１１】
2008271541.tif 000016
【図１２】
2008271541.tif 000017
【外国語明細書】
2008271541000001.pdf